(57)【要約】【課題】  結婚披露宴を強く印象付けることができる結婚披露宴用印刷物を提案することにある。【解決手段】結婚披露宴に関するキャラクタが記載された結婚披露宴用招待状２において、折り目10を介して二つ折り可能に形成された台紙11と、二つ折りにされて重ね合わせた台紙11の間に挟み込む飛出部材13と、一端が台紙11に取り付けられているとともに、他端が飛出部材13に取り付けられており、二つ折りにした台紙11の展開に応じて飛出部材13を台紙11の輪郭外へ飛び出させる弾性支持部12とを備えるようにしたことにより、台紙11の展開に応じて斬新な変化を与え、この斬新な変化からくる面白さと結婚披露宴に関するキャラクタとによって、結婚披露宴の招待予定者や招待者に対し幸福感に溢れたイメージを強く与えることができ、かくして結婚披露宴を強く印象付けることができる。【選択図】        図２
0003107833.tif 000002
【実用新案登録請求の範囲】
【請求項１】
結婚披露宴に関するキャラクタが記載された結婚披露宴用印刷物において、折り目を介して二つ折り可能に形成された台紙と、二つ折りにされて重ね合わせた前記台紙の間に挟み込む飛出部材と、一端が前記台紙に取り付けられているとともに、他端が前記飛出部材に取り付けられており、二つ折りにした前記台紙の展開に応じて前記飛出部材を前記台紙の輪郭外へ飛び出させる弾性支持部とを備えることを特徴とする結婚披露宴用印刷物。
【請求項２】
前記弾性支持部は、針金部材でなり、撓み曲げられても元の形状に復帰するような弾性力を備え、前記飛出部材は、前記弾性支持部が撓み曲げられてゆくことにより前記折り目に配置され、この状態のまま前記台紙を二つ折りすることにより前記台紙の間に挟み込まれることを特徴とする請求項１記載の結婚披露宴用印刷物
【請求項３】
前記飛出部材は、発泡体でなることを特徴とする請求項１又は２記載の結婚披露宴用印刷物。
【請求項４】
前記弾性支持部の他端は、前記飛出部材の中心部を囲うようにして該飛出部材に取り付けられていることを特徴する請求項１乃至３のうちいずれか１記載の結婚披露宴用印刷物。
【請求項５】
前記台紙には、開口部を有する収納部が、前記台紙との間に隙間を形成するように設けられており、前記台紙と前記収納部との間に形成された隙間に前記弾性支持部が配置されていることを特徴とする請求項１乃至４のうちいずれか１項記載の結婚披露宴用印刷物。
【請求項６】
前記台紙には新婦をイメージさせる新婦の絵柄が記載されているとともに、前記飛出部材にはブーケをイメージさせるブーケの絵柄が記載されており、前記台紙の展開に応じて前記新婦が前記ブーケを投げたような絵柄を構成するように前記飛出部材が前記台紙の輪郭外へ飛び出ることを特徴とする請求項１乃至５のうちいずれか１項記載の結婚披露宴用印刷物。
【考案の詳細な説明】
【技術分野】
【０００１】
この考案は、結婚披露宴用印刷物に関し、例えば、結婚式や披露宴（以下、これらをまとめて結婚披露宴と呼ぶ）が行われることを招待予定者に対して通知する結婚披露宴用招待状に適用して好適なものである。
【背景技術】
【０００２】
従来、結婚披露宴を行うことを招待予定者に通知する場合には、新郎新婦及び差出人（親）の氏名や、結婚披露宴を開く旨の本文、結婚披露宴の会場及び日時などが記載された結婚披露宴用招待状が用いられている（例えば特許文献１）。
【特許文献１】実開平６−５５７６５号公報
【考案の開示】
【考案が解決しようとする課題】
【０００３】
ところが、このような結婚披露宴用招待状は、ほぼ矩形状に形成されデザイン的に平凡なものが多く、このため結婚披露宴という幸福感に溢れたイメージを強く印象付け難いものとなっていた。
【０００４】
そこで、本考案は以上の点を考慮してなされたもので、結婚披露宴を強く印象付けることができる結婚披露宴用印刷物を提案しようとするものである。
【課題を解決するための手段】
【０００５】
本考案の請求項１では、結婚披露宴に関するキャラクタが記載された結婚披露宴用印刷物において、折り目を介して二つ折り可能に形成された台紙と、二つ折りにされて重ね合わせた前記台紙の間に挟み込む飛出部材と、一端が前記台紙に取り付けられているとともに、他端が前記飛出部材に取り付けられており、二つ折りにした前記台紙の展開に応じて前記飛出部材を前記台紙の輪郭外へ飛び出させる弾性支持部とを備えるようにした。
【０００６】
本考案の請求項２では、前記弾性支持部は、針金部材でなり、撓み曲げられても元の形状に復帰するような弾性力を備え、前記飛出部材は、前記直線部が撓み曲げられてゆくことにより前記折り目に配置され、この状態のまま前記台紙を二つ折りすることにより前記台紙の間に挟み込まれるようにした。
【０００７】
本考案の請求項３では、前記飛出部材は、発泡体でなるようにした。
【０００８】
本考案の請求項４では、前記弾性支持部の他端は、前記飛出部材の中心部を囲うようにして該飛出部材に取り付けられているようにした。
【０００９】
本考案の請求項５では、前記台紙には、開口部を有する収納部が、前記台紙との間に隙間を形成するように設けられており、前記台紙と前記収納部との間に形成された隙間に前記弾性支持部が配置されているようにした。
【００１０】
本考案の請求項６では、前記台紙には新婦をイメージさせる新婦の絵柄が記載されているとともに、前記飛出部材にはブーケをイメージさせるブーケの絵柄が記載されており、前記台紙の展開に応じて前記新婦が前記ブーケを投げたような絵柄を構成するように前記飛出部材が前記台紙の輪郭外へ飛び出るようにした。
【考案の効果】
【００１１】
本考案の請求項１によれば、台紙を展開に応じて飛出部材を飛び出させることにより斬新な変化を与え、この斬新な変化からくる面白さと結婚披露宴に関するキャラクタとによって、結婚披露宴の招待予定者や招待者に対し幸福感に溢れたイメージを強く与えることができ、かくして結婚披露宴を強く印象付けることができる。
【００１２】
本考案の請求項２によれば、台紙が二つ折り状態から展開されると、弾性支持部に働いていた、元の形状に復帰するような弾性力が開放され、飛出部材を台紙の輪郭外に飛び出させることができ、かくして展開に応じて斬新な変化を与えることができるので、この斬新な変化からくる面白さによって、結婚披露宴の招待予定者や招待者に対し幸福感に溢れたイメージを強く与えることができる。また、簡易な構成で確実に飛出部材を台紙の輪郭外へ飛び出させることができる。
【００１３】
本考案の請求項３によれば、台紙の展開に応じて飛出部材が台紙の輪郭から飛び出したとき、招待予定者の指などに飛出部材が当たっても、当該飛出部材自体が衝撃を吸収し得、かくして指へ与える飛出部材からの衝撃を緩和できる。また、飛出部材を軽い発泡体としたので、弾性支持部による弾性力によっても当該飛出部材を台紙の輪郭外へ確実に飛び出させることができ、かくして斬新な変化を確実に与えることができる。
【００１４】
本考案の請求項４によれば、弾性支持部が飛出部材の中心部を囲うことにより、当該弾性支持部の他端と飛出部材とについて、より一体化を図ることができるので、飛出部材が飛び出すときに生じる遠心力によって、当該飛出部材が弾性支持部から抜け落ちることを防止できる。また、飛出部材に対し外部から何らかの力が働いても、弾性支持部によっても飛出部材が変形することを防止できる。
【００１５】
本考案の請求項５によれば、種々の印刷物を開口部から収納部に収納でき、また、当該印刷物が収納部で隔離され弾性支持部に当たることがないので、当該弾性支持部の動きが印刷物によって規制されず、かくして台紙の輪郭外へ飛出部材を確実に飛び出させることができる。
【００１６】
本考案の請求項６によれば、ブーケをイメージさせる飛出部材が台紙の展開に応じて輪郭外へ飛び出すことにより、結婚披露宴の招待状予定者や招待者に対し、あたかも新婦がブーケを投げているかのような絵柄を目視させることができ、かくして結婚披露宴に伴う幸福感に溢れたイメージを一段と強く与えることができる。
【考案を実施するための最良の形態】
【００１７】
以下、本考案における好ましい実施例について、添付図面を参照しながら説明する。
【００１８】
図１において、１は全体として結婚披露宴用招待状セットを示し、当該結婚披露宴用招待状セット１は、結婚披露宴に関する絵柄や文章などのキャラクタが記載され、偏平状に二つ折り可能の形成された結婚披露宴用招待状２と、当該結婚披露宴用招待状２を二つ折り状態で収納し得る封筒３とで構成されている。
【００１９】
結婚披露宴用招待状２は、ほぼ矩形状でなる封筒３に二つ折り状態で収納された後、封筒３の折り目（以下、これを封筒側折り目という）５を介して折返片４が封筒本体６に折り返され（図中の矢印Ａ方向）、この状態で折返片４がシール（図示せず）などで封止されることにより封筒３内部に封入され得る。
【００２０】
実際上、結婚披露宴用招待状２は、図２（Ａ）及び（Ｂ）に示すように、中央部の縦方向に形成された折り目10を介して二つ折り可能な構成を有する台紙11と、この台紙の内面11Aに設けられた弾性支持部12と、弾性支持部12の先端に設けられ、厚さが薄い飛出部材13とによって構成されている。
【００２１】
ここで台紙11は、やや厚めで適度の剛性を有した紙製で全体としてほぼ四角形状に構成されており、同一形状の第１及び第２の台紙片15及び16が折り目10を介して対称に有し、縦寸法が封筒３の長手方向とほぼ同一寸法に形成されているとともに、当該第１の台紙片15と第２の台紙片16とを折り目10を介して開くと、横寸法が封筒３の短手方向よりも大きくなるように形成されている。
【００２２】
第２の台紙片16には、その内面に、飛出部材13を備えた弾性支持部12と収納部17とが設けられており、図３に示すように、この収納部17に、やや厚めで適度の剛性を有した紙製でなる招待状本体20と返信用はがき21とが重ね合わせた状態で収納され得る。
【００２３】
実際上、この収納部17は、図４に示すように、第１の収納片17Aと第２の収納片17Bとが連設して上方に開口部17Cを形成し、図２（Ｂ）に示すように、第２の台紙片16の輪郭に沿って側部及び下方底辺のみが第２の台紙片16に対して取り付けられている。かくして第１の収納片17A及び第２の収納片17Bの間には、開口部17Cを介して招待状本体20と返信用はがき21とが収納し得、また、第２の台紙片16と第１の収納部17Aとの間において飛出部材13が移動可能に構成されているとともに、この飛出部材13が折り目10の位置に配置可能に構成されている。
【００２４】
なお、この実施の形態の場合、招待状本体20は、結婚披露宴の招待状であることを示す結婚披露宴の表示、季節の挨拶文や結婚披露宴を行う旨、結婚披露宴が行われる日時及び場所、新郎新婦に関する情報などが記載され、結婚披露宴情報に関する各種情報を提示し得るようになされている。
【００２５】
また、この実施の形態の場合、返信用はがきは21は、結婚披露宴の出席又は欠席する旨を示す欄や、招待予定者自身の住所などを記載する欄が設けられている。
【００２６】
第２の台紙片16と第１の収納部17Aとの間の隙間に配置された弾性支持部12は、針金部材によって形成されており、図２（Ａ）及び（Ｂ）に示したように、根元側に第２の台紙片16の角部に沿うようにほぼ円形状に屈曲された台紙用取付部22を有するとともに、図５に示すように、先端側に飛出部材13の中心部を囲うように輪郭に沿ってほぼ円形状に屈曲された飛出部材用取付部23を有し、当該台紙用取付部22と飛出部材用取付部23との間にほぼ直線形状でなる直線部24を有するように形成されている。
【００２７】
実際上、この弾性支持部12は、焼入処理が施されていることにより適度な硬さを有し、直線部24が撓み曲げられても元の直線形状に復帰し得るような弾性力を備えるように構成されている。
【００２８】
そして、この弾性支持部12は、図２（Ｂ）に示したように、直線部24が第２の台紙片16の側部近傍に配置されて折り目10に対しほぼ平行になるように、台紙用取付部22が第２の台紙片16の下方角部にシール部材（図示せず）によって取り付けられ、飛出部材用取付部23に設けられた飛出部材13が第２の台紙片16上方の輪郭から飛び出るように直線部24の長さ寸法が選定されている。
【００２９】
ここで、飛出部材13は、例えば発泡ポリエチレン等でなり、当該飛出部材用取付部23の径よりも大きな径でなるほぼ円形状で発泡体30と、結婚披露宴におけるブーケをイメージさせるようなキャラクタ（以下、これをブーケの絵柄と呼ぶ）32が記載されたシール部材33とによって構成され、発泡体30の中心部と飛出部材用取付部23の中心部とをほぼ一致させた状態でシール部材33が貼着されて飛出部材用取付部23に取り付けられている。
【００３０】
かかる構成に加えて、第１の台紙片16の内側には、新婦が第２の台紙片15の側部上方へブーケを投げるような動作をイメージさせるキャラクタ（以下、これを新婦の絵柄と呼ぶ）34が記載されており、展開時に、ブーケの絵柄32を有する飛出部材13が第２の台紙片16の側部上方に位置することから、台紙11の内面11Aにおいて、あたかも新婦がブーケを投げたかのような動作を表したイメージ絵柄を構成し得るようになされている。
【００３１】
以上の構成において、結婚披露宴用招待状セット１を招待予定者に送る際、結婚披露宴用招待状２を開いた状態において、収納部17に招待状本体20及び返信用はがき21を収納した後、図６に示すように、第２の台紙片16と第１の収納片17Aとの間において、弾性支持部12の直線部24を撓み曲げてゆくことにより飛出部材13を、折り目10の位置に配置し、この状態のまま当該折り目10を介して台紙11を二つ折りに重ねる。これにより、飛出部材13は、折り目10に当接して係止され、第１の台紙片15と第２の台紙片16との間に収納される。そして、結婚披露宴用招待状２は、弾性支持部12が撓み曲げられた二つ折り状態のまま封筒３（図１）に封入される。
【００３２】
その後、封筒３を受け取った招待予定者が当該封筒３を開封し、二つ折り状態の結婚披露宴用招待状２を取り出して、図６に示したように、当該結婚披露宴用招待状２が展開されると、二つ折り状態で折り目10に当接し係止されていた飛出部材13が係止解除される。
【００３３】
これにより、結婚披露宴用招待状２では、弾性支持部12の直線部24に働いていた、元の直線形状に復帰し得るような弾性力が開放されることにより、飛出部材13が第２の台紙片16の上方における輪郭外まで飛び出し、かくして台紙11の展開に応じて斬新な変化を与えることができる。なお、この実施の形態の場合、招待状本体20及び返信用はがき21が開口部17Cから収納部17に収納されていることにより、当該招待状本体20及び返信用はがき21に飛出部材13が当たることがないのでその飛び出す動作が妨げられず、かくして飛出部材13を第２の台紙片16の輪郭外へ確実に飛び出させることができる。
【００３４】
このとき、第１の台紙片15の内側に記載された新婦の絵柄34と、ブーケの絵柄32が記載された飛出部材の飛び出す動作とによって、結婚披露宴用招待状２を展開した招待予定者や招待者に対し、あたかも新婦がブーケを投げているかのようなイメージ絵柄を瞬間的に目視させることができる。これにより、結婚披露宴の招待予定者や招待者に対して結婚披露宴に伴う幸福感に溢れたイメージを一段と確実に与えることができる。
【００３５】
以上のように、本実施例では、二つ折りにされて重ね合わせた台紙11の間に挟み込まれた飛出部材13が、当該台紙11の展開に応じて台紙11の輪郭外へ飛び出すようにしたことにより、台紙11の展開に応じて斬新な変化を与え、この斬新な変化からくる面白さと結婚披露宴に関するキャラクタとによって、結婚披露宴の招待予定者や招待者に対し幸福感に溢れたイメージを強く与えることができ、かくして結婚披露宴を強く印象付けることができる。
【００３６】
また、本実施例では、直線部24が撓み曲げられた状態のまま台紙11を二つ折り可能に構成するようにしたことにより、台紙11が二つ折り状態から展開されると、弾性支持部12に働いていた、元の形状に復帰するような弾性力が開放され、飛出部材13を台紙11の輪郭外に飛び出させることができ、かくして展開に応じて斬新な変化を与えることができるので、この斬新な変化からくる面白さによって、結婚披露宴の招待予定者や招待者に対し幸福感に溢れたイメージを強く与えることができる。また、簡易な構成で確実に飛出部材13を台紙11の輪郭外へ飛び出させることができる。
【００３７】
さらに、本実施例では、飛出部材13を発泡体で構成するようにしたので、台紙11の展開に応じて飛出部材13が台紙11の輪郭から飛び出したとき、招待予定者の指などに飛出部材13が当たっても、当該飛出部材13自体が衝撃を吸収し得、かくして指へ与える飛出部材13からの衝撃を緩和できる。また、飛出部材13を軽い発泡体としたので、弾性支持部12による弾性力によっても当該飛出部材13を台紙11の輪郭外へ確実に飛び出させることができ、かくして斬新な変化を確実に与えることができる。
【００３８】
さらに、本実施例では、弾性支持部12の飛出部材取付部23が、飛出部材13の中心部を囲うようにして設けられていることにより、当該飛出部材取付部23と飛出部材13とについて、より一体化を図ることができるので、飛出部材13が飛び出すときに生じる遠心力によって、当該飛出部材13が弾性支持部12から抜け落ちることを防止できる。また、飛出部材13に対し外部から何らかの力が働いても、当該飛出部材取付部23によっても飛出部材13が変形することを防止できる。
【００３９】
さらに、本実施例では、開口部17Cを有する収納部17が、台紙11との間に隙間を形成するように設けられ、この台紙11と収納部17との間に形成された隙間に弾性支持部12が配置されていることにより、招待状本体20及び返信用はがき21を開口部17Cから収納部17に収納でき、また、収納部17に招待状本体20及び返信用はがき21が収納された状態であっても、これら招待状本体20及び返信用はがき21が収納部17で隔離されて弾性支持部12に当たることがないので、当該弾性支持部12の動きが招待状本体20及び返信用はがき21によって規制されず、飛出部材13を台紙11の輪郭外へ確実に飛び出させることができる。
【００４０】
さらに、本実施例では、台紙11には新婦の絵柄34が記載されているとともに、ブーケの絵柄32を記載した飛出部材13が台紙11の展開に応じて飛び出すことにより、結婚披露宴の招待状予定者や招待者に対し、あたかも新婦がブーケを投げているかのような絵柄を目視させることができ、かくして結婚披露宴に伴う幸福感に溢れたイメージを一段と強く与えることができる。
【００４１】
なお、上述した実施の形態においては、撓み曲げられても元の形状に復帰するような弾性力を備える直線形状でなる直線部24を有する弾性支持部12を適用するようにした場合について述べたが、本考案はこれに限らず、撓み曲げられても元の形状に復帰するような弾性力を備えるものであれば、波線形状や湾曲形状などこの他種々の形状を有する弾性支持部を適用するようにしても良い。
【００４２】
また、上述した実施の形態においては、第２の台紙片16の上方側から飛出部材13を飛び出させるようにした場合について述べたが、本考案はこれに限らず、第２の台紙片16の側部側や下方側などこの他種々の方向から飛出部材13を飛び出させるようにしても良い。
【００４３】
さらに、上述した実施の形態においては、台紙取付部22を第２の台紙片16の側部下方に取り付けることにより、飛出部材13を第２の台紙片16の輪郭外に飛び出させるようにした場合について述べたが、本考案はこれに限らず、飛出部材13を第２の台紙片16の輪郭外へ飛び出させることができれば、台紙取付部22を第２の台紙片16の側部や中央部、側部上方などこの他種々の箇所に取り付けるようにしても良い。
【００４４】
さらに、上述した実施の形態においては、飛出部材13をほぼ円形状に形成するようにした場合について述べたが、本考案はこれに限らず、飛出部材13をほぼ三角形状や四角形状などの多角形状あるいは涙滴形状などこの他種々の形状に形成するようにしても良い。因みに、この場合、弾性支持部12の飛出部材取付部23は、種々の形状でなる飛出部材13の輪郭に沿うように形成すれば、上述の実施の形態と同様に飛出部材取付部23が飛出部材13から抜け落ちることを防止できる。
【００４５】
さらに、上述した実施の形態においては、結婚披露宴に関するキャラクタが記載された結婚披露宴用印刷物として、結婚披露宴を開くことをイメージさせるキャラクタが記載された結婚披露宴用招待状２を適用するようにした場合について述べたが、本考案はこれに限らず、例えば、結婚披露宴で使用する席次表が記載された結婚披露宴用席次表や、披露宴で提供される会食用のメニューが記載された結婚披露宴用メニューなどこの他種々の結婚披露宴に関するキャラクタが記載された結婚披露宴用印刷物に適用するようにしても良く、この場合でも、上述と同様に飛出部材を飛び出させることにより、結婚披露宴に伴う幸福感に溢れたイメージを結婚披露宴の招待者に対し与えることができる。
【図面の簡単な説明】
【００４６】
【図１】結婚披露宴用招待状セットの全体構成を示す略線図である。
【図２】二つ折り状態及び展開状態のときの結婚披露宴用招待状の構成を示す略線図である。
【図３】結婚披露宴用招待状に招待状本体と返信用はがきとが収納される様子を示す略線図である。
【図４】収納部の構成を示す略線図である。
【図５】飛出部材用取付部に飛出部材が取り付けられた様子を示す略線図である。
【図６】台紙が二つ折り又は展開される様子を示す略線図である。
【符号の説明】
【００４７】
２  結婚披露宴用招待状（結婚披露宴用印刷物）
10  折り目
11  台紙
12  弾性支持部
13  飛出部材
17  収納部
32  ブーケの絵柄
34  新婦の絵柄
【図１】
0003107833.tif 000003
【図２】
0003107833.tif 000004
【図３】
0003107833.tif 000005
【図４】
0003107833.tif 000006
【図５】
0003107833.tif 000007
【図６】
0003107833.tif 000008